(57)【特許請求の範囲】
【請求項１】
Ａ４用紙サイズの原稿の読み取り機能を有する画像形成装置であって、
前記原稿を読み取る画像読取部と、操作部と、表示部と、
前記画像読取部が読み取り取得した複数の画像のうち、第１の画像と、前記第１の画像につづいて取得した第２の画像とを、前記第２の画像の向きを１８０度回転させたうえで連結して１つの画像にする回転連結処理を実行する編集部と、
前記編集部が前記回転連結処理を実行する際に参照する設定保持部とを備え、
前記画像読取部は、Ａ４用紙サイズの読込み領域を有するプラテンガラスと原稿給紙装置とを有し、
前記設定保持部は、前記操作部及び前記表示部を用いて設定された、前記複数の画像をどのような態様で連結するかの情報を保持し、前記情報は反転させる画像のページ番号と画像の連結位置とを有し、
前記画像読取部がＡ３用紙サイズ原稿を読み取る場合、前記編集部は、
（１）前記原稿給紙装置を使用して読み込ませた前記原稿の半分のＡ４用紙サイズ領域である前記第１の画像を取得し、
（２）前記原稿の前記原稿給紙装置に対する進入方向を反転させることにより読み込ませた前記原稿の残り半分のＡ４用紙サイズ領域である前記第２の画像を取得し、
（３）前記設定保持部が保持する前記情報を参照して、前記第２の画像を１８０度回転させて前記第１の画像に連結させることにより前記Ａ３用紙サイズ原稿の画像を取得し、
さらに、前記画像読取部が、前記プラテンガラス上にＸＹ方向に自由配置された複数の原稿を読み取る場合、前記設定保持部は、前記操作部及び前記表示部を用いて設定された前記情報として、少なくとも、前記複数の原稿の配置に関する情報及び前記複数の原稿の重ね合わせ時の優先順序に関する情報を保持し、前記編集部は、前記設定保持部が保持する前記情報を参照して、前記複数の原稿の画像の配置を指定することにより前記複数の原稿の画像を連結した１つの画像を取得する
ことを特徴とする画像形成装置。
【請求項２】
さらに、前記画像読取部がＡ２用紙サイズ原稿を読み取る場合、前記編集部は、
（１）前記Ａ２用紙サイズ原稿の１／４であるＡ４用紙サイズ領域の４ページ分のうち、第１ページ目画像及び第２ページ目画像のそれぞれを前記プラテンガラス上に配置されたＡ４用紙サイズ横向き領域を上向きで読み込ませて取得し、
（２）第３ページ目画像及び第４ページ目画像のそれぞれを前記プラテンガラス上に配置されたＡ４用紙サイズ横向き領域を下向きで読み込ませて取得し、
（３）前記設定保持部が保持する前記情報を参照して、前記第３ページ目画像及び前記第４ページ目画像を１８０度回転させて前記第１ページ目画像及び前記第２ページ目画像に連結させることにより前記Ａ２用紙サイズ原稿の画像を取得する
ことを特徴とする請求項１に記載の画像形成装置。
【発明の詳細な説明】
【技術分野】
【０００１】
本発明は、画像形成装置に係り、特にスキャナー等の画像読み取り機能を備えた画像形成装置に関する。
【背景技術】
【０００２】
近年の複合機（ＭＦＰ）等の画像形成装置では多機能化が進んでおり、複数ページの画像をとりまとめて１つのページにして出力する集約機能、例えばＡ４サイズ原稿２ページ分の原稿をＡ４サイズ１ページに均等割り付けする２ｉｎ１機能がある。
【０００３】
また、Ａ３サイズ原稿の読み取り及びＡ３サイズ転写紙の出力が可能な複写機、プリンタ等の画像形成装置において、Ａ３サイズ原稿一枚分或はＡ４サイズ原稿２枚分に相当する画像データに基づいてＡ４サイズ転写紙２枚に出力することができる画像形成装置がある（例えば、特許文献１参照。）。具体的には、この画像形成装置（複写機またはプリンタ）は、Ａ４原稿２枚分の画像データに基づいたトナー像を感光体上に形成し、転写位置にＡ４転写紙を近接して連続給紙することにより、それらＡ４原稿２枚分のトナー像を２枚のＡ４転写紙に分割して画像形成する。
【先行技術文献】
【特許文献】
【０００４】
【特許文献１】特開平０９−２５８５１４号公報
【発明の概要】
【発明が解決しようとする課題】
【０００５】
ところで、従来のＡ４サイズが取り扱い可能サイズとしているＭＦＰにおいては、製品によっては若干大きなサイズ（例えばリーガルサイズ）までを読み込み可能サイズとしているが、基本的には取り扱い可能サイズを超える原稿の読み取りはできなかった。例えばＡ４サイズ２ページの見開き原稿は片ページの情報を１ページとして送信するなど、Ａ４サイズの２倍にあたるＡ３サイズの画像を読み込んでファイルを作成することは出来なかった。また、上記の集約機能を用いた場合であっても、この機能は、読み取り可能なサイズの原稿を複数ページに集約する機能であって、読み取り可能サイズを超える原稿の読み取りを考慮した技術でなく、別の技術が求められていた。特許文献１に開示の技術は、Ａ４サイズ原稿２枚分に相当する画像データを一度に出力するものであるが、画像読み込み技術、すなわち原稿を画像データとして取得する技術については考慮されておらず別の技術が求められていた。
【０００６】
本発明はこのような状況に鑑みてなされたものであり、上記課題を解決できる技術を提供することを目的とする。
【課題を解決するための手段】
【０００７】
本発明の画像形成装置は、Ａ４用紙サイズの原稿の読み取り機能を有する画像形成装置であって、前記原稿を読み取る画像読取部と、操作部と、表示部と、前記画像読取部が読み取り取得した複数の画像のうち、第１の画像と、前記第１の画像につづいて取得した第２の画像とを、前記第２の画像の向きを１８０度回転させたうえで連結して１つの画像にする回転連結処理を実行する編集部と、前記編集部が前記回転連結処理を実行する際に参照する設定保持部とを備え、前記画像読取部は、Ａ４用紙サイズの読込み領域を有するプラテンガラスと原稿給紙装置とを有し、前記設定保持部は、前記操作部及び前記表示部を用いて設定された、前記複数の画像をどのような態様で連結するかの情報を保持し、前記情報は反転させる画像のページ番号と画像の連結位置とを有し、前記画像読取部がＡ３用紙サイズ原稿を読み取る場合、前記編集部は、（１）前記原稿給紙装置を使用して読み込ませた前記原稿の半分のＡ４用紙サイズ領域である前記第１の画像を取得し、（２）前記原稿の前記原稿給紙装置に対する進入方向を反転させることにより読み込ませた前記原稿の残り半分のＡ４用紙サイズ領域である前記第２の画像を取得し、（３）前記設定保持部が保持する前記情報を参照して、前記第２の画像を１８０度回転させて前記第１の画像に連結させることにより前記Ａ３用紙サイズ原稿の画像を取得し、さらに、前記画像読取部が、前記プラテンガラス上にＸＹ方向に自由配置された複数の原稿を読み取る場合、前記設定保持部は、前記操作部及び前記表示部を用いて設定された前記情報として、少なくとも、前記複数の原稿の配置に関する情報及び前記複数の原稿の重ね合わせ時の優先順序に関する情報を保持し、前記編集部は、前記設定保持部が保持する前記情報を参照して、前記複数の原稿の画像の配置を指定することにより前記複数の原稿の画像を連結した１つの画像を取得する。
また、さらに、前記画像読取部がＡ２用紙サイズ原稿を読み取る場合、前記編集部は、（１）前記Ａ２用紙サイズ原稿の１／４であるＡ４用紙サイズ領域の４ページ分のうち、第１ページ目画像及び第２ページ目画像のそれぞれを前記プラテンガラス上に配置されたＡ４用紙サイズ横向き領域を上向きで読み込ませて取得し、（２）第３ページ目画像及び第４ページ目画像のそれぞれを前記プラテンガラス上に配置されたＡ４用紙サイズ横向き領域を下向きで読み込ませて取得し、（３）前記設定保持部が保持する前記情報を参照して、前記第３ページ目画像及び前記第４ページ目画像を１８０度回転させて前記第１ページ目画像及び前記第２ページ目画像に連結させることにより前記Ａ２用紙サイズ原稿の画像を取得する。
【発明の効果】
【０００８】
本発明によると、画像形成装置において、読み取り可能サイズを超える原稿の読み取りを考慮した技術を提供できる。
【図面の簡単な説明】
【０００９】
【図１】実施形態に係る、画像形成装置の概略構成を示すブロック図である。
【図２】実施形態に係る、画像読取部を用いてＡ３サイズ原稿を読み込ませる際の画像登録方向を示す図である。
【図３】実施形態に係る、Ａ４サイズを２ページ分読み込んでＡ３サイズ原稿を作成する際のコミュニケーション例を示す図である。
【図４】実施形態に係る、Ａ４サイズの原稿を４枚読み込んで１つの画像を作成する際の画像読み取り方向を示す図である。
【図５】実施形態に係る、図４の読み取り態様を用いて３ページ目の原稿までが登録された場合の状況を示す図である。
【図６】実施形態に係る、原稿給紙装置から画像を読みこむ場合の画像方向を示す図である。
【図７】実施形態に係る、上下左右方向に自由配置して連結させる場合の原稿配置を示す図である。
【発明を実施するための形態】
【００１０】
以下、本発明を実施するための形態（以下、「実施形態」という）について図面を参照して説明する。本実施形態では、Ａ４サイズの読み取り・出力機能を有する画像形成装置（複合機；ＭＦＰ）においてもＡ３サイズやそれ以上の画像サイズのファイルサイズ作成を可能とする処理（以下、「画像結合処理」と称する）を提案する。
【００１１】
図１は、本実施形態に係る画像形成装置１０の構成を示す図であって、特に、画像読み取り機能について着目して示し、ＰＣ等の外部機器との通信インターフェイス等の構成は省略している。
【００１２】
画像形成装置１０は、例えば、ＭＦＰであって、制御部１２と、操作部１４と、表示部１６と、印刷実行処理部３０と、画像読取部４０とを備える。
【００１３】
操作部１２は、実行キー等の所定の機能ボタンやテンキー等を備えたユーザーインターフェイスである。表示部１４は、液晶パネル等で構成され、動作状態等を表示する。なお、操作部１２と表示部１４とが一体に構成されたタッチキー等が用いられてもよい。
【００１４】
印刷実行処理部３０は、一般的な印刷実行機能を有し、制御部２０からの指示により印刷動作を実行する。
【００１５】
画像読取部４０は、Ａ４サイズの原稿を読み取り可能とする一般的な構成であって、スキャナー、プラテンガラス（以下、単に「プラテン４１」と称する。）、原稿読取スリット、原稿給紙装置４２等を備える。スキャナーは、ＬＥＤ（Light Emitting Diode）を用いた光源と、ＣＣＤ（Charge Coupled Device）ラインセンサーやＣＭＯＳ（Complementary Metal Oxide Semiconductor）ラインセンサー等からなる受光部とを備える。
【００１６】
制御部１２は、ＭＰＵ（Micro-Processing Unit）、ＲＯＭ（Read Only Memory）、ＲＡＭ（Random Access Memory）等を備え、各種の処理を行う。ここで、制御部１２は、画像形成装置１０の統括的処理を行う機能として、ＪｏｂＭａｎａｇｅｒ１９を備える。また、制御部１２は、本実施形態で特徴的な画像結合処理を実行する画像合成処理部２０を備える。画像合成処理部２０は、ＪｏｂＭａｎａｇｅｒ１９の指示の元、画像結合処理を実行する。
【００１７】
画像合成処理部２０は、画像結合処理を実行する機能として、ＩｍａｇｅＪｏｂ２２、ＪｏｂＩｎｆｏ２３、ＩｎｐｕｔＭｉｓｓｉｏｎ２４、ｄｖｃＳＣＮ２５、ｅｎｔＤｏｃＰＧ２６、ｅｎｔＢＯＸ２７、ＥｄｉｔＭｉｓｓｉｏｎ２８とを備える。
【００１８】
ＩｍａｇｅＪｏｂ２２は、画像読取部４０を用いた画像読み取り処理を制御・実行する。
【００１９】
ＪｏｂＩｎｆｏ２３は、画像結合処理を含む画像読み取り処理に関する各種設定情報を保持する。
【００２０】
ＩｎｐｕｔＭｉｓｓｉｏｎ２４は、画像取得を管理する。すなわち、ＩｎｐｕｔＭｉｓｓｉｏｎ２４は、例えばＡ４サイズの画像を２ページ分取得するのか、それとも３ページ分取得するのか、また、合成後の画像サイズはどのようであるか、取得した画像をどのように合成するか（４分割の各エリアに割り当てるのか、重ねる部分があってよいのか等）を管理する。
【００２１】
ｄｖｃＳＣＮ２５は、画像読取部４０のスキャナーの動作を制御し、プラテン４１に配置された原稿または原稿給紙装置４２から供給される原稿をスキャンする。
【００２２】
ｅｎｔＤｏｃＰＧ２６は、取得した画像データを、合成後の画像データのどの領域に対応するかを関連づける。
【００２３】
ｅｎｔＢＯＸ２７は、ｅｎｔＤｏｃＰＧ２６による処理の後に、取得した画像を保持する。
【００２４】
ＥｄｉｔＭｉｓｓｉｏｎ２８は、ｄｖｃＳＣＮ２５（印刷実行処理部３０）で取得した画像データを、必要に応じて編集する。例えば、反転処理やトリミング処理、センタリング処理などである。
【００２５】
以上の構成による、Ａ３サイズの原稿を読み込み画像データを取得する処理について説明する。図２は、画像読取部４０（プラテン４１等）を用いてＡ３サイズ原稿を読み込ませる際の画像登録方向を示す図である。図２（ａ）は１ページ目の原稿（１回目の読み込み）の読み込み方向を示す図であり、図２（ｂ）は２ページ目の原稿（１回目の読み込み）の読み込み方向を示す図である。
【００２６】
画像読取部４０（プラテン４１）の読み込み領域がＡ４サイズしかないため、仮に原稿送り装置を用いる場合に、一般にユーザーとしては１回目と２回目とで元画像（原稿）の進入方向を反転させる必要がある。１回目では、先頭側の領域Ｐ１１は読み取られるが、後側の領域Ｐ１２は読み込まれない。そこで、２回目では、読み込む画像を反対向きとして、後側の領域Ｐ１２を先に読み込ませるようにする。このとき先頭側の領域Ｐ１１は読み取られない。そして、画像形成装置１０は、２回目に読み込んだ画像（領域Ｐ１２）を反転させ、１回目の読み込み画像（領域Ｐ１１）と連結する。
【００２７】
図３は、Ａ４サイズを２ページ分読み込んでＡ３サイズ原稿を作成する際のコミュニケーション例である。この図を用いて、画像連結処理について説明する。
【００２８】
前提条件として、ユーザーがどこから画像を取り込んだのか、どのような元画像サイズから出力画像を作ろうとしているのかを知る必要がある。これらの動作に必要な設定情報はＩｍａｇｅＪｏｂ２２に予め格納され、実施時に参照して振る舞いを変更する。ここでは例えば、読み込みソース（プラテン４１や原稿給紙装置４２)、読み込み原稿サイズ、作成原稿サイズ等の情報が格納される。
【００２９】
ＪｏｂＭａｎａｇｅｒ１９は、操作部１４に対するユーザーの操作することで画像結合処理の機能が選択されると、その旨をＩｍａｇｅＪｏｂ２２に通知し画像結合処理を開始させる（Ｓ１）。
【００３０】
ＩｍａｇｅＪｏｂ２２は、ＪｏｂＩｎｆｏ２３を参照して、画像結合処理の各種設定情報を取得し、画像結合処理を開始する（Ｓ２）。ここでは、ＩｍａｇｅＪｏｂ２２は、画像読取部４０のプラテン４１に置かれたＡ４サイズを２ページ分読み込んでＡ３サイズ原稿を作成する設定を取得することを想定する。
【００３１】
まず、ＩｍａｇｅＪｏｂ２２は、ＩｎｐｕｔＭｉｓｓｉｏｎ２４に対して、１ページ目の原稿を取得するジョブを実行するようにＩｎｐｕｔＭｉｓｓｉｏｎ２４に指示する（Ｓ３）。
【００３２】
ＩｎｐｕｔＭｉｓｓｉｏｎ２４は、画像読取部４０に１ページ目の画像を読み込む動作をさせる（Ｓ４）。ｄｖｃＳＣＮ２５は、プラテン４１または原稿給紙装置４２を動作させ１ページ目の画像を読み込み、ｅｎｔＤｏｃＰＧ２６に画像を登録するように指示する（Ｓ５）。
【００３３】
ｅｎｔＤｏｃＰＧ２６は、ｄｖｃＳＣＮ２５が読み込んだ画像を取得しｅｎｔＢＯＸ２７に１ページ目の原稿の画像として登録して記録する（Ｓ６）。
【００３４】
ｄｖｃＳＣＮ２５は、ｅｎｔＤｏｃＰＧ２６への登録を指示すると、ＩｎｐｕｔＭｉｓｓｉｏｎ２４に１ページ目の原稿の画像の登録が完了した旨を通知する（Ｓ７）。つづいて、ＩｎｐｕｔＭｉｓｓｉｏｎ２４は、ＩｍａｇｅＪｏｂ２２に１ページ目の原稿の画像の登録が完了した旨を通知する（Ｓ８）。
【００３５】
ＩｍａｇｅＪｏｂ２２は、１ページ目の原稿の画像の登録が完了した旨の通知を受けると、ＩｎｐｕｔＭｉｓｓｉｏｎ２４に２ページ目の原稿を取得するジョブを実行するようにＩｎｐｕｔＭｉｓｓｉｏｎ２４に指示する（Ｓ９）。
【００３６】
ＩｎｐｕｔＭｉｓｓｉｏｎ２４は、画像読取部４０に２ページ目の原稿の画像を読み込む動作をさせる（Ｓ１０）。ｄｖｃＳＣＮ２５は、プラテン４１または原稿給紙装置４２を動作させ２ページ目の原稿の画像を読み込み、ｅｎｔＤｏｃＰＧ２６に画像を登録するように指示する（Ｓ１１）。
【００３７】
ｅｎｔＤｏｃＰＧ２６は、ｄｖｃＳＣＮ２５が読み込んだ画像を取得しｅｎｔＢＯＸ２７に２ページ目の原稿の画像として登録して記録する（Ｓ１２）。
【００３８】
ｄｖｃＳＣＮ２５は、ｅｎｔＤｏｃＰＧ２６への登録を指示すると、ＩｎｐｕｔＭｉｓｓｉｏｎ２４に２ページ目の原稿の画像の登録が完了した旨を通知する（Ｓ１３）。つづいて、ＩｎｐｕｔＭｉｓｓｉｏｎ２４は、ＩｍａｇｅＪｏｂ２２に２ページ目の原稿の画像の登録が完了した旨を通知する（Ｓ１４）。
【００３９】
ＩｍａｇｅＪｏｂ２２は、２ページ目の原稿の画像の登録が完了した旨の通知を受けると、次のジョブとして、ＥｄｉｔＭｉｓｓｉｏｎ２８に対して、２ページ目の原稿の画像を所定方向に向きを変更するように、ここでは反転するように指示する（Ｓ１５）。
【００４０】
ＥｄｉｔＭｉｓｓｉｏｎ２８は、ｅｎｔＢＯＸ２７から２ページ目の原稿の画像を取得し、画像反転の処理を実行し、ｅｎｔＤｏｃＰＧ２６に通知する（Ｓ１６）。
【００４１】
ｅｎｔＤｏｃＰＧ２６は、画像反転処理後の２ページ目の原稿の画像をｅｎｔＢＯＸ２７に再登録し（Ｓ１７）、反転処理が完了した旨をＥｄｉｔＭｉｓｓｉｏｎ２８に通知する（Ｓ１８）。そして、ＥｄｉｔＭｉｓｓｉｏｎ２８は、その旨をＩｍａｇｅＪｏｂ２２に通知する（Ｓ１９）。
【００４２】
つづいて、ＩｍａｇｅＪｏｂ２２は、新たなジョブとして、ＥｄｉｔＭｉｓｓｉｏｎ２８に対して１ページ目及び２ページ目の原稿の画像を結合する処理を実行するように指示する（Ｓ２０）。
【００４３】
ＥｄｉｔＭｉｓｓｉｏｎ２８は、ｅｎｔＢＯＸ２７に登録されている１ページ目及び２ページ目の原稿の画像を取り出し、それらを結合する処理を実行する（Ｓ２１）。その後、ｅｎｔＤｏｃＰＧ２６は、１ページ目及び２ページ目の原稿の画像が結合された新たな画像をｅｎｔＢＯＸ２７に登録・記録するとともに（Ｓ２２）、ＥｄｉｔＭｉｓｓｉｏｎ２８に対して結合完了を通知する（Ｓ２３）。そして、ＥｄｉｔＭｉｓｓｉｏｎ２８は、その旨をＩｍａｇｅＪｏｂ２２に通知する（Ｓ２４）。
【００４４】
ＩｍａｇｅＪｏｂ２２は、画像結合の完了の通知を受けると、ＪｏｂＭａｎａｇｅｒ１９に対して、全てのジョブが完了した旨を通知する（Ｓ２５）。この通知によって、一連の処理が完了する。
【００４５】
このような構成及び処理によって、画像読取部４０の原稿読み取り可能サイズより大きいサイズの原稿を適切に読み込み可能となる。すなわち、例えば、Ａ４サイズが読み取り上限の画像形成装置１０において、Ａ３サイズを元画像サイズとする原稿を二つに分けて読み込み一方を回転して結合することで、実質的にＡ３サイズの原稿を読み込んだものと同等の画像が得られる。また、画像形成装置１０のみで処理が完結するため、その後の印刷処理やＦＡＸ処理までの処理を短時間で、一つの機器つまり画像形成装置１０のみで完結することができる。
【００４６】
従来であれば、正しい集約をするには読み込む画像の向き等に制限があった。つまり、２ページ分の原稿を同じ向きに取得し、１ページに集約するものであった。この場合、原稿がＡ３サイズであって、画像読み取りサイズがＡ４の場合、２つの領域に分けてそれぞれ読み取り処理をするが、プラテンカバー等の読み取り装置に構成の関係上、一方の読み取りの際に原稿の向きを反対にする必要があったり、二つ折りにする必要があったりして、制約が多く別の技術が必要とされていた。したがって、従来であれば、読み込んだ画像をＰＣ等において画像編集ソフトで編集して結合する必要があった。しかし、本実施形態であれば、画像形成装置１０において、非常に簡単な操作で実現することができる。
【００４７】
図４は、Ａ２サイズの原稿をＡ４サイズの原稿を４枚（４ページ分）に分けて読み込んで１つの画像を作成する際の画像読み取り方向を示した図である。ここでは、ユーザーがプラテン４１から画像読み込む際の方向を示したものであり、第１ページ目Ｐ２１及び第２ページ目Ｐ２２がＡ４横向き原稿を上向きで取得し、第３ページ目Ｐ２３及び第４ページ目Ｐ２４がＡ４横向き原稿を下向きで取得する設定となっている。画像の読み取り方向は、予め複数の態様がＪｏｂＩｎｆｏ２３に登録されている。ユーザーは、連結処理を実行開始する際に、どのような態様で連結するかを、操作部１４と表示部１６を用いて選択する。
【００４８】
図５が図４の読み取り態様を用いて第１ページ目Ｐ３１〜第３ページ目Ｐ３３の原稿までが登録された場合の状況を示している。第３ページ目Ｐ３３の原稿は、図４で示した設定の通り、上下反転した（１８０度回転した）状態で読み込まれている。この後、第４ページ目Ｐ３４まで読み込まれると、図４の設定通り、第３ページ目Ｐ３３及び第４ページ目Ｐ３４が反転処理され、第１ページ目Ｐ３１〜第４ページ目Ｐ３４が結合され、一つの画像ファイルとなる。
【００４９】
この処理は、図３に示したコミュニケーション図において、画像の読み込みページ数を増やすとともに、反転させる画像ページ番号と画像の連結位置を情報として追加する事で実現可能となる。
【００５０】
図６は原稿給紙装置４２から画像を読みこむ場合の画像方向を示す図である。ユーザーは原稿給紙装置４２上に複数の原稿Ｐ４１〜Ｐ４３を置く。なお、通常では、原稿Ｐ４１〜Ｐ４３は重ねて配置されるが、ここでは分かりやすいように横方向に並べて示している。読み取り方向としては図示のように一方向である。この場合は単純連結にて指定サイズの合成が可能となる。ただし、ユーザーは、予め例えば２番目の原稿Ｐ４２のみを反転させる設定をすることもできる。
【００５１】
図７は、上下左右方向（ＸＹ方向）に自由配置して連結させる場合の原稿配置（画像配置）を示す図である。図示のように、その結合位置を指定可能なように連結すれば、ＸＹ方向に一定の自由度を持って連結させた画像合成も可能となる。ただし、原稿の配置、重ね合わせ時の優先順序やオーバーレイ指定に関する情報は、ユーザーによって操作部１４や表示部１６を用いて設定し、設定結果はＪｏｂＩｎｆｏ２３に保持される。また、原稿の配置（向き等を含む）は、画像読み込み後、操作部１４や表示部１６を用いて調整可能であってもよい。そして、実際に画像結合処理が開始されると、ＩｍａｇｅＪｏｂ２２は、その設定を参照して、図３のコミュニケーション図で示したように処理を行う。
【００５２】
以上、本実施形態によるとＡ４サイズの原稿読み込み機構しかない環境においても、Ａ３サイズ原稿を取得することができる。したがって、その後の印刷処理や情報送信（ＦＡＸ送信等）を画像形成装置１０のみで完結させることが可能となる。
【００５３】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００５４】
１０  画像形成装置
１２  制御部
１４  操作部
１６  表示部
１９  ＪｏｂＭａｎａｇｅｒ
２０  画像合成処理部
２２  ＩｍａｇｅＪｏｂ
２３  ＪｏｂＩｎｆｏ
２４  ＩｎｐｕｔＭｉｓｓｉｏｎ
２５  ｄｖｃＳＣＮ
２６  ｅｎｔＤｏｃＰＧ
２７  ｅｎｔＢＯＸ
２８  ＥｄｉｔＭｉｓｓｉｏｎ
３０  印刷実行処理部
４０  画像読取部
４１  プラテン（プラテンガラス）
４２  原稿給紙装置
【図１】
0006161578.tif 000002
【図２】
0006161578.tif 000003
【図３】
0006161578.tif 000004
【図４】
0006161578.tif 000005
【図５】
0006161578.tif 000006
【図６】
0006161578.tif 000007
【図７】
0006161578.tif 000008